(57)【特許請求の範囲】
【請求項１】
折り畳み可能なテーブルにおいて、
下面に凹状の第１の収容部を有する中央天板と、
この中央天板の両端部に各々設けられており且つ観音開き状に開閉可能な一対の外側天板と、
前記外側天板に折り畳み自在に設けられた一対の外側脚部とを備えており、
前記外側天板の少なくとも一方の外側天板が前記第１の収容部を閉塞可能になっており、当該一方の外側天板の下面には、閉じた状態で前記第１の収容部に連通可能な凹状の第２の収容部が設けられており、他方の外側天板の下面には凹状の第３の収容部が設けられており、
前記一対の外側脚部のうちの一方の外側脚部が前記第２の収容部に、他方の外側脚部が前記第３の収容部に収容可能になっており、
前記一方、他方の外側脚部は、中間部に孔部が設けられた座面部と、
この座面部の下面に折り畳み可能に設けられた一対の脚部と、
リンク機構とを有しており、
前記リンク機構は、第１の可動子と、
この第１の可動子の両側に配置された一対の第２の可動子と、
支持片とを有しており、
前記第１の可動子は、前記第２、第３の収容部の幅寸法よりも小さい長さ寸法を有しており且つ下端部が前記座面部の前記孔部の外側縁部に回動自在に取り付けられた下側可動部材と、
前記第２、第３の収容部の幅寸法よりも小さい長さ寸法を有しており且つ上端部が前記第２、第３の収容部の内側に回動自在に取り付けられた一対の上側可動部材と、
前記第２、第３の収容部の幅寸法よりも小さい長さ寸法を有する中間可動部材とを有しており、
前記中間可動部材の幅方向の中間部には、長さ方向に渡って下方に凹状に窪んだ窪みが設けられており、この窪みの両内壁の下端部に前記下側可動部材の上端部が回動自在に取り付けられており、前記中間可動部材の幅方向の両端部には下方に向けて凸の一対のフランジが設けられており、このフランジの内面に前記上側可動部材の下端部が回動自在に取り付けられており、
前記第２の可動子は、前記第２、第３の収容部の幅寸法よりも小さい長さ寸法を有しており、前記第２の可動子の下端部が前記座面部の前記孔部の内側縁部に回動自在に取り付けられており、前記第２の可動子の上端部が前記第２、第３の収容部の外側に回動自在に取り付けられており、前記第２の可動子の中間部が前記フランジの中間部の外面に回動自在に取り付けられており、
前記支持片は、一端部同士が回動自在に取り付けられた第１、第２の板状体を有し、前記第１の板状体の他端部が前記中間可動部材に回動自在に取り付けられており、前記第２の板状体の他端部が前記座面部の孔部の内側縁部に前記第２の可動子の下端部と共に回動自在に取り付けられており、
前記第１の可動子の前記下側可動部材、中間可動部材及び一対の上側可動部材が一直線状に展開された状態で、当該第１の可動子が前記外側天板の内側と前記座面部の外側との間に懸架され、前記第２の可動子が前記第１の可動子の両側に交差して前記外側天板の外側と前記座面部の内側との間に懸架され且つ前記支持片の前記第１、第２の板状体が一直線状に展開され、当該支持片が前記第１の可動子の前記中間可動部材と前記座面部との間に懸架されるようになっており、
前記支持片が折り曲げられ、前記座面部が前記第２、第３の収容部に収容されるとき、前記第１の可動子の前記下側可動部材の上下端部が回動し、当該下側可動部材が前記中間可動部材の前記窪みに挿入されると共に、前記上側可動部材の上下端部が回動し、当該上側可動部材が前記中間可動部材に沿うことにより、当該第１の可動子が折り畳まれて前記第２、第３の収容部に収容され、前記第２の可動子が、上下端部を支点として回動しつつ、中間部を中心に回転し、折り畳まれた前記第１の可動子の両側に沿って配置されて当該第１の可動子と共に前記第２、第３の収容部に収容され、且つ、前記支持片が互いに重なるように折り畳まれ、前記第１、第２の可動子と共に前記第２、第３の収容部に収容される
ことを特徴とする折り畳みテーブル。
【請求項２】
請求項１記載の折り畳みテーブルにおいて、
前記中央天板に着脱自在又は折り畳み自在に設けられ、且つ前記第１の収容部に収容可能な中央脚部を更に備えていることを特徴とする折り畳みテーブル。
【発明の詳細な説明】
【技術分野】
【０００１】
本発明は折り畳み且つ持ち運び可能なテーブルに関する。
【背景技術】
【０００２】
この種のテーブルは、端部同士が開閉可能に取り付けられた一対の天板と、この天板に着脱自在に設けられた４本の脚とを備え、天板の下面には前記脚が嵌合可能な嵌合溝が設けられているものがある（特許文献１参照）。
【０００３】
即ち、前記テーブルは、前記脚を天板から取り外し、前記嵌合溝に嵌合させ、天板を閉じ合わせることにより、折り畳むことができる。
【０００４】
【特許文献１】実用新案登録３０２６２６５号公報
【発明の開示】
【発明が解決しようとする課題】
【０００５】
このようなテーブルは、アウトドア等に用いられるため、脚以外の様々な物を収容可能であることが望まれている。ところが、前記天板には、前記脚が嵌合する嵌合溝が設けられているため、その他のものを収容することができない。もっとも、前記天板に前記嵌合溝の代わりに下面に凹状等の収容部を設ければ、脚及びそれ以外の物も収容可能になるが、一対の天板を閉じ合わせる際に、傾斜した天板の収容部から収容物が脱落しまうため、当該天板の閉じ合わせが困難になるという欠点がある。
【０００６】
本発明は、上記事情に鑑みて創案されたものであって、その目的とするところは、天板の収容部から収容物が脱落することなく、容易に折り畳み可能な折り畳みテーブルを提供することにある。
【課題を解決するための手段】
【０００７】
上記課題を解決するために、本発明の折り畳みテーブルは、下面に凹状の第１の収容部を有する中央天板と、この中央天板の両端部に各々設けられており且つ観音開き状に開閉可能な一対の外側天板と、前記外側天板に折り畳み自在に設けられた一対の外側脚部とを備えている。前記外側天板の少なくとも一方の外側天板が前記第１の収容部を閉塞可能になっている。当該一方の外側天板の下面には、閉じた状態で前記第１の収容部に連通可能な凹状の第２の収容部が設けられており、他方の外側天板の下面には凹状の第３の収容部が設けられている。前記一対の外側脚部のうちの一方の外側脚部が前記第２の収容部に、他方の外側脚部が前記第３の収容部に収容可能になっている。前記一方、他方の外側脚部は、中間部に孔部が設けられた座面部と、この座面部の下面に折り畳み可能に設けられた一対の脚部と、リンク機構とを有している。前記リンク機構は、第１の可動子と、この第１の可動子の両側に配置された一対の第２の可動子と、支持片とを有している。前記第１の可動子は、前記第２、第３の収容部の幅寸法よりも小さい長さ寸法を有しており且つ下端部が前記座面部の前記孔部の外側縁部に回動自在に取り付けられた下側可動部材と、前記第２、第３の収容部の幅寸法よりも小さい長さ寸法を有しており且つ上端部が前記第２、第３の収容部の内側に回動自在に取り付けられた一対の上側可動部材と、前記第２、第３の収容部の幅寸法よりも小さい長さ寸法を有する中間可動部材とを有している。前記中間可動部材の幅方向の中間部には、長さ方向に渡って下方に凹状に窪んだ窪みが設けられており、この窪みの両内壁の下端部に前記下側可動部材の上端部が回動自在に取り付けられており、前記中間可動部材の幅方向の両端部には下方に向けて凸の一対のフランジが設けられており、このフランジの内面に前記上側可動部材の下端部が回動自在に取り付けられている。前記第２の可動子は、前記第２、第３の収容部の幅寸法よりも小さい長さ寸法を有しており、前記第２の可動子の下端部が前記座面部の前記孔部の内側縁部に回動自在に取り付けられており、前記第２の可動子の上端部が前記第２、第３の収容部の外側に回動自在に取り付けられており、前記第２の可動子の中間部が前記フランジの中間部の外面に回動自在に取り付けられている。前記支持片は、一端部同士が回動自在に取り付けられた第１、第２の板状体を有し、前記第１の板状体の他端部が前記中間可動部材に回動自在に取り付けられており、前記第２の板状体の他端部が前記座面部の孔部の内側縁部に前記第２の可動子の下端部と共に回動自在に取り付けられている。前記第１の可動子の前記下側可動部材、中間可動部材及び一対の上側可動部材が一直線状に展開された状態で、当該第１の可動子が前記外側天板の内側と前記座面部の外側との間に懸架され、前記第２の可動子が前記第１の可動子の両側に交差して前記外側天板の外側と前記座面部の内側との間に懸架され且つ前記支持片の前記第１、第２の板状体が一直線状に展開され、当該支持片が前記第１の可動子の前記中間可動部材と前記座面部との間に懸架されるようになっている。前記支持片が折り曲げられ、前記座面部が前記第２、第３の収容部に収容されるとき、前記第１の可動子の前記下側可動部材の上下端部が回動し、当該下側可動部材が前記中間可動部材の前記窪みに挿入されると共に、前記上側可動部材の上下端部が回動し、当該上側可動部材が前記中間可動部材に沿うことにより、当該第１の可動子が折り畳まれて前記第２、第３の収容部に収容され、前記第２の可動子が、上下端部を支点として回動しつつ、中間部を中心に回転し、折り畳まれた前記第１の可動子の両側に沿って配置されて当該第１の可動子と共に前記第２、第３の収容部に収容され、且つ、前記支持片が互いに重なるように折り畳まれ、前記第１、第２の可動子と共に前記第２、第３の収容部に収容されるようになっている。
【０００８】
このような折り畳みテーブルによる場合、前記外側天板が中央天板の両端部に観音開き状に開閉可能に設けられているので、前記外側天板を開閉する際に、前記中央天板の第１の収容部に入れられた収容物が脱落することない。即ち、中央天板の第１の収容部内の収容物が脱落することがなく、３枚の中央天板及び外側天板を折り畳むことができるので、使い勝手の良いテーブルとすることができる。
また、第１の収容部に物を入れ一方の外側天板で閉じることにより、第１、第２の収容部で脱落することなく前記物を収容することができるので、その収容容量が増大する。第３の収容部にも物を収容することができるので、収容容量が増大する。  前記外側脚部を第２、第３の収容部に収容することができるので、持ち運びが容易になる。
外側脚部が椅子を兼ねているので、本テーブル用の椅子を別途持ち運ぶ必要がない。従って、運搬性及び利便性が向上する。
なお、第３の収容部も閉じた状態で前記第１の収容部に連通可能とすることができる。
【００１４】
前記折り畳みテーブルは、中央天板に着脱自在又は折り畳み自在に設けられ、且つ第１の収容部に収容可能な中央脚部を更に備えた構成とすることができる。この場合、中央脚部が中央天板を支持するため、当該中央天板の支持が安定する。
【発明を実施するための最良の形態】
【００１５】
以下、本発明の実施の形態に係る折り畳みテーブルについて図面を参照しつつ説明する。図１は本発明の実施の形態に係る折り畳みテーブルに収容される折り畳み椅子を示す図であって、（ａ）が正面図、（ｂ）が側面図、図２は同テーブルを示す図であって、（ａ）が平面図、（ｂ）が底面図、図３は同テーブルの使用状態を示す図であって、（ａ）が椅子を収容した状態を示す底面図、（ｂ）が折り畳み状態を示す斜視図、図４は同テーブルに収容される椅子を示す図であって、（ａ）が正面図、（ｂ）が背面図、（ｃ）が側面図、（ｄ）が平面図、（ｅ）が底面図、（ｆ）が折り畳んだ状態を示す正面図である。
【００１６】
図１及び図２に示すテーブルは、中央天板１００と、この中央天板１００の幅方向の両端部に観音開き状に開閉可能に各々設けられた一対の外側天板２００ａ、２００ｂと、中央天板１００の対角に位置する角部に設けられた折り畳み可能な一対の中央脚部３００と、一対の外側天板２００ａ、２００ｂに各々設けられた外側脚部４００ａ、４００ｂとを備えている。以下、各部について詳しく説明する。
【００１７】
中央天板１００は略矩形状の板状体である。この中央天板１００の下面には略矩形状の凹部である第１の収容部１１０が設けられている。この第１の収容部１１０には、椅子５００及び中央脚部３００の下側パイプ３２０が収容される。
【００１８】
椅子５００は、脚５１１、５１２の中心部が鋲で留められた一対のＸ字脚５１０と、脚５１１、５１２の上端部同士を繋ぐ一対の支持パイプ５２０と、脚５１１、５１２の下端部同士を繋ぐ一対の第１の補強板５３０と、脚５１２の支持パイプ５２０の下側部分同士を繋ぐ第２の補強板５４０と、一対の支持パイプ５２０に懸架される布製の座面５５０と、脚５１１の下端部と脚５１２の下端部とに取り付けられる支持片５６０とを備えた周知のものである。
【００１９】
この椅子５００は、一対のＸ字脚５１０を開くことにより、組み立てられ、当該Ｘ字脚５１０閉じることにより、折り畳まれるようになっている。支持片５６０は、支持片４１３ａと略同じものであり、一対のＸ字脚５１０が開いた状態で、一直線状に展開され、脚５１１の下端部と脚５１２の下端部との間に懸架される。これにより、Ｘ字脚５１０が開いた状態で維持される。この折り畳み状態で、椅子５００は、中央天板１００の第１の収容部１１０に収容可能になる。
【００２０】
各中央脚部３００は、中央天板１００の第１の収容部１１０の縁部に設けられ且つ当該第１の収容部１１０の底面に沿った折畳位置から起立位置にかけて略９０°回動可能にされた金属製の上側パイプ３１０と、この上側パイプ３１０に進退可能に挿入される下側パイプ３２０と、下側パイプ３２０を起立状態で維持するための一組の支持片３３０とを有する周知のものである。
【００２１】
一方の支持片３３０は、長尺状の板状体であって、第１の収容部１１０内に設けられた立壁に回動自在に取り付けられた一端部と、上側パイプ３１０に回動自在に取り付けられた他端部とを有している。
【００２２】
他方の支持片３３０は、一端部同士が回動自在に取り付けられた長尺状の第１、第２の板状体を有している。第１の板状体の他端部は第１の収容部１１０の縁部に回動自在に取り付けられている。第２の板状体の他端部は上側パイプ３１０に回動自在に取り付けられている。
【００２３】
この他方の支持片３３０は、第１、第２の板状体が一直線状になった状態で、一方の支持片３３０と共に中央天板１００と上側パイプ３１０との間に懸架される。これにより一組の支持片３３０が上側パイプ３１０を支持する。他方の支持片３３０は、第１、第２の板状体が互いに重なるように折り畳まれた状態で上側パイプ３１０に沿う。
【００２４】
外側天板２００ａは中央天板１００と略同一の板状体であって、当該中央天板１００の幅方向の一端部にヒンジで取り付けられている。これにより、図３（ｂ）に示すように、外側天板２００ａが中央天板１００の下面に閉じ合わせ、第１の収容部１１０を閉塞可能になっている。この外側天板２００ａの下面には、図２及び図３に示すように、略矩形状の凹部である第２の収容部２１０ａが設けられている。
【００２５】
第２の収容部２１０ａ内の中央部には、底面視略凹字状の一対の第１の金具２１１ａ及び第２の金具２１２ａが取り付けられている。この第２の収容部２１０ａは、外側天板２００ａが中央天板１００の下面に閉じ合わされた状態で、第１の収容部１１０と連通し、当該第１の収容部１１０と共に一つの収容空間を形成する。
【００２６】
外側天板２００ｂは外側天板２００ａと略同じものである。この外側天板２００ｂが外側天板２００ａと異なる点はヒンジの高さ寸法である。換言すると、外側天板２００ｂのヒンジは外側天板２００ａのヒンジよりも背高である。このため、外側天板２００ｂは、図３（ｂ）に示すように、外側天板２００ａの上面に閉じ合わせ可能となっている。
【００２７】
外側脚部４００ａは、リンク機構部４１０ａと、このリンク機構部４１０ａに連結される座面部４２０ａと、座面部４２０ａの下面に折り畳み可能に設けられた脚部４３０ａとを有する。
【００２８】
リンク機構部４１０ａは、折り畳み可能な第１の可動子４１１ａと、この第１の可動子４１１ａの両側に配置される一対の第２の可動子４１２ａと、展開状態の第１の可動子４１１ａを支持する支持片４１３ａとを有している。
【００２９】
第１の可動子４１１ａは、下側可動部材４１１ａ１と、一対の上側可動部材４１１ａ２と、下側可動部材４１１ａ１と一対の上側可動部材４１１ａ２との間に配置される中間可動部材４１１ａ３とを有する。
【００３０】
下側可動部材４１１ａ１は、その長さ寸法が外側天板２００ａの第２の収容部２１０ａの幅寸法よりも小さい断面視略矩形状の棒体であって、その下端部が座面部４２０ａの孔部４２１ａの外側縁部に回動自在に取り付けられている。
【００３１】
一対の上側可動部材４１１ａ２はその長さ寸法が外側天板２００ａの第２の収容部２１０ａの幅寸法よりも小さい板状体であって、その上端部が外側天板２００ａの内側の第２の金具２１２ａの両先端部に各々回動自在に取り付けられている。
【００３２】
中間可動部材４１１ａ３はその長さ寸法が外側天板２００ａの第２の収容部２１０ａの幅寸法よりも小さい長尺板状体であって、その幅方向の中間部に長さ方向に渡って下方に凹状に窪んだ窪み４１１ａ３１が設けられている。この窪み４１１ａ３１の両内壁の下端部に下側可動部材４１１ａ１の上端部が回動自在に取り付けられている。また、この窪み４１１ａ３１には、下側可動部材４１１ａ１が上端部を支点に回動することにより、挿入されるようになっている。
【００３３】
また、中間可動部材４１１ａ３の幅方向の両端部には下方に向けて凸の一対のフランジ４１１ａ３２が設けられている。このフランジ４１１ａ３２の内面には一対の上側可動部材４１１ａ２の下端部が各々回動自在に取り付けられている。即ち、一対の上側可動部材４１１ａ２がその下端部を支点に回動することにより、フランジ４１１ａ３２の内面に沿って配置されるようになっている。
【００３４】
要するに、下側可動部材４１１ａ１、中間可動部材４１１ａ３及び一対の上側可動部材４１１ａ２が一直線状に展開されると、第１の可動子４１１ａが外側天板２００ａを支持する。一方、下側可動部材４１１ａ１が中間可動部材４１１ａ３の窪み４１１ａ３１に挿入されると共に、上側可動部材４１１ａ２が当該中間可動部材４１１ａ３のフランジ４１１ａ３２の内側に沿って配置されると、第１の可動子４１１ａが折り畳まれる。この状態で、第１の可動子４１１ａは、上側可動部材４１１ａ２の上端部を支点として回動させることにより、外側天板２００ａの第２の収容部２１０ａに収容される。
【００３５】
各第２の可動子４１２ａは外側天板２００ａの第２の収容部２１０ａの幅寸法より短い断面視略矩形状の棒体である。第２の可動子４１２ａの下端部は座面部４２０ａの孔部４２１ａの内側縁部に回動自在に取り付けられる。第２の可動子４１２ａの上端部は外側天板２００ａの外側の第２の金具２１２ａの先端部と第１の金具２１１ａの外側端部との間に回動自在に取り付けられている。また、第２の可動子４１２ａの中間部は中間可動部材４１１ａ３のフランジ４１１ａ３２の中間部の外面にピンで回転自在に留められている。
【００３６】
即ち、第１の可動子４１１ａが一直線状に展開されると、一対の第２の可動子４１２ａが第１の可動子４１１ａの両側に交差して外側天板２００ａを支持する。一方、第１の可動子４１１ａが折り畳まれると、第２の可動子４１２ａが上端部を支点に回動し、当該第１の可動子４１１ａの両側に沿って配置される。この状態で、第２の可動子４１２ａは外側天板２００ａの第２の収容部２１０ａに収容される。
【００３７】
支持片４１３ａは、一端部同士が回動自在に取り付けられた長尺状の第１、第２の板状体を有している。第１の板状体の他端部は中間可動部材４１１ａ３の窪み４１１ａ３１の下端部の一方の外壁に回動自在に取り付けられている。第２の板状体の他端部は座面部４２０ａの孔部４２１ａの内側縁部に第２の可動子４１２ａの下端部と共に回動自在に取り付けられている。
【００３８】
即ち、第１の可動子４１１ａが一直線状に展開された状態で、第１、第２の板状体が一直線状に展開されることにより、支持片４１３ａが第１の可動子４１１ａの中間可動部材４１１ａ３と座面部４２０ａとの間に懸架される。これにより、支持片４１３ａが第１の可動子４１１ａを展開状態で支持する。また、第１、第２の板状体を略く字状になるように折り畳むことにより、第１の可動子４１１ａが折り畳み可能となる。第１の可動子４１１ａが折り畳まれると、第１、第２の板状体が互いに重なるように折り畳まれ、中間可動部材４１１ａ３の窪み４１１ａ３１の外壁に沿って配置される。
【００３９】
座面部４２０ａは、簀の子状の板状体であって、中間部に孔部４２１ａを有している。この孔部４２１ａにより、折り畳まれた状態の第１の可動子４１１ａ、第２の可動子４１２ａ及び支持片４１３ａとの干渉を避けている。
【００４０】
各脚部４３０ａは、座面部４２０ａの下面に沿う折畳位置から座面部４２０ａに対して略垂直に立脚される立脚位置にかけて略回動自在にされた一対の脚４３１ａと、この脚４３１ａに両底角部が回動自在に取り付けられた略三角形状の支持部４３２ａと、支持部４３２ａの頂部と座面部４２０ａの孔部４２１ａの縁部との間に設けられた支持棒４３３ａとを有する。
【００４１】
支持部４３２ａの頂部には上方に向けて凹んだ凹部４３２ａ１が設けられている。凹部４３２ａ１の上端部の両内壁には支持棒４３３ａの下端部が回動自在に取り付けられている。この支持部４３２ａは、凹部４３２ａ１に支持棒４３３ａが挿入可能になっている。支持棒４３３ａの上端部は座面部４２０ａの孔部４２１ａの縁部に回動自在に取り付けられている。
【００４２】
即ち、一対の脚４３１ａが立脚位置に位置すると、支持部４３２ａ及び支持棒４３３ａが一直線状に展開されることにより、脚４３１ａを立脚位置で維持する。一方、一対の脚４３１ａが折畳位置に位置すると、支持部４３２ａと支持棒４３３ａとが当該支持棒４３３ａの下端部を支点に回動して折り畳まれ、支持棒４３３ａが支持部４３２ａの凹部４３２ａ１に挿入される。
【００４３】
外側脚部４００ｂは外側脚部４００ａと同じものである。従って、外側脚部４００ｂの説明は省略する。
【００４４】
以下、上記テーブルの組み立て手順について説明する。まず、外側天板２００ｂをヒンジを支点として回動させる。そして、外側天板２００ａをヒンジを支点として回動させる。これにより、外側天板２００ａ、２００ｂが観音開き状に開く。そして、中央天板１００の第１の収容部１１０から下側パイプ３２０を取り出し、椅子５００を取り出す。
【００４５】
その後、一方の脚部４３０ａの一対の脚４３１を折畳位置から立脚位置にかけて回動させる。すると、支持棒４３３ａが支持部４３２ａの凹部４３２ａ１から排出され、支持部４３２ａと支持棒４３３ａとが一直線状に展開する。これにより、支持部４３２ａ及び支持棒４３３ａが、一対の脚４３１と座面部４２０ａとの間に懸架され、当該脚４３１が起立位置で維持される。これにより、一方の脚部４３０ａが起きる。そして、他方の脚部４３０ａも同様に起こす。
【００４６】
その後、座面部４２０ａを外側天板２００ａの第２の収容部２１０ａから取り出す。すると、下側可動部材４１１ａ１の上下端部が回動し、当該下側可動部材４１１ａ１が中間可動部材４１１ａ３の窪み４１１ａ３１から排出される。これと共に、一対の上側可動部材４１１ａ２の上下端部が回動し、当該上側可動部材４１１ａ２が中間可動部材４１１ａ３のフランジ４１１ａ３２に沿う位置から離脱する。そして、下側可動部材４１１ａ１、中間可動部材４１１ａ３及び一対の上側可動部材４１１ａ２が一直線状に展開される。これと共に、一対の第２の可動子４１２ａの上下端部が回動すると共に、中間部のピンを支点に回転する。これにより、一対の第２の可動子４１２ａが第１の可動子４１１ａの両側に交差する。
【００４７】
その後、支持片４１３ａを一直線状に展開し、座面部４２０ａと中間可動部材４１１ａ３との間に懸架する。これにより、第１の可動子４１１ａが展開状態で維持される。このようにして外側脚部４００ａが組み立てられる。
【００４８】
その後、外側脚部４００ｂを外側脚部４００ａと同様に組み立てる。
【００４９】
その後、中央脚部３００の上側パイプ３１０及び一方の支持片３３０を回動させる。そして、他方の支持片３３０を一直線状に展開する。これにより、上側パイプ３１０の起立状態が維持される。
【００５０】
その後、上側パイプ３１０の下端に下側パイプ３２０を装着する。このようにして前記テーブルが組み立てられる。
【００５１】
以下、上記テーブルの折り畳み手順について説明する。まず、中央天板１００及び外側天板２００ａ、２００ｂの上面を地面等に載置する。そして、支持部４３２ａと支持棒４３３ａとを折り畳みつつ、一対の脚４３１を立脚位置から折畳位置にかけて回動させる。すると、支持棒４３３ａが支持部４３２ａの凹部４３２ａ１に挿入される。これにより、一方の脚部４３０ａが折り畳まれる。そして、他方の脚部４３０ａも同様に折り畳む。
【００５２】
その後、支持片４１３ａを折り曲げる。そして、座面部４２０ａを外側天板２００ａの第２の収容部２１０ａに向けて移動させる。すると、下側可動部材４１１ａ１の上下端部が回動し、当該下側可動部材４１１ａ１が中間可動部材４１１ａ３の窪み４１１ａ３１に向けて移動する。これと共に、一対の上側可動部材４１１ａ２の上下端部が回動し、当該上側可動部材４１１ａ２が中間可動部材４１１ａ３のフランジ４１１ａ３２に沿う位置に向けて移動する。
【００５３】
そして、下側可動部材４１１ａ１が中間可動部材４１１ａ３の窪み４１１ａ３１に挿入され、一対の上側可動部材４１１ａ２が中間可動部材４１１ａ３のフランジ４１１ａ３２の内側に沿って配置されると、第１の可動子４１１ａが折り畳まれ、外側天板２００ａの第２の収容部２１０ａに収容される。
【００５４】
このとき、一対の第２の可動子４１２ａが、その上下端部を支点として回動しつつ、中間部のピンを中心に回転して、折り畳まれた第１の可動子４１１ａの両側に沿って配置され、外側天板２００ａの第２の収容部２１０ａに収容される。また、支持片４１３ａは、折り畳まれ、第１、第２の可動子４１１ａ、４１２ａと共に外側天板２００ａの第２の収容部２１０ａに収容される。このようにして外側脚部４００ａが折り畳まれ、外側天板２００ａの第２の収容部２１０ａに収容される。
【００５５】
その後、外側脚部４００ｂを外側脚部４００ａと同様に折り畳み、外側天板２００ｂの第３の収容部２１０ｂに収容する。
【００５６】
その後、中央脚部３００の下側パイプ３２０を上側パイプ３１０から取り外す。
【００５７】
その後、中央脚部３００の他方の支持片３３０を折り畳みつつ、中央脚部３００の上側パイプ３１０及び一方の支持片３３０を回動させる。これにより、上側パイプ３１０及び一方の支持片３３０が中央天板１００の第１の収容部１１０に収容され、他方の支持片３３０が折り畳まれた状態で、上側パイプ３１０に沿う。そして、中央天板１００の第１の収容部１１０に下側パイプ３２０を入れ、折り畳んだ椅子５００を入れる。
【００５８】
その後、外側天板２００ａをヒンジを支点として回動させ、中央天板１００の下面に閉じ合わせる。そして、外側天板２００ｂをヒンジを支点として回動させ、外側脚部４００ａの上面に閉じ合わせる。このようにしてテーブルが折り畳まれる。
【００５９】
上述したテーブルによる場合、外側天板２００ａ、２００ｂが中央天板１００の両端部に観音開き状に開閉可能に取り付けられているため、外側天板２００ａ、２００ｂの開閉の際に、中央天板１００の第１の収容部１１０から収容物である下側パイプ３２０及び椅子５００が脱落することがない。従って、使い勝手の良いテーブルとすることができる。
【００６０】
なお、上記テーブルは、特許請求の範囲の趣旨に適う限り任意に設計変更することが可能である。以下、その設計変更例について述べる。図５は設計変更例のテーブルを椅子と共に配置した状態を示す図であって、（ａ）が正面図、（ｂ）が側面図、図６は同設計変更例のテーブルを椅子と共に配置した状態を示す平面図、図７は同設計変更例のテーブルを椅子と共に配置した状態を示す底面図、図８は同設計変更例のテーブルの椅子収容状態を示す底面図、図９は別の設計変更例のテーブルを椅子と共に配置した状態を示す正面図、図１０は前記設計変更例のテーブルを椅子と共に配置した状態を示す底面図、図１１は前記設計変更例のテーブルの椅子を収納した状態を示す底面図である。
【００６１】
外側天板２００ａ、２００ｂについては、中央天板１００の両端部に観音開き状に開閉可能に設けられているものである限り任意に設計することが可能である。例えば、中央天板１００の下面に両外側天板が閉じ合わされるような形態とすることも可能である。なお、外側天板に収容部を設けるか否かは任意である。
【００６２】
中央脚部３００については、図５、図６、図７及び図８に示すように省略することが可能である。また、前記中央脚部は、中央天板に折り畳み可能又は着脱自在に設けられ且つ当該中央天板を支持し得る限り、どのような設計変更を行っても構わない。
【００６３】
また、外側脚部４００ａ、４００ｂについては、外側天板に折り畳み可能又は着脱自在に設けられ且つ当該外側天板を支持し得る限り、どのような設計変更を行っても構わない。例えば、図９、図１０及び図１１に示すように、外側脚部４００ａ’、４００ｂ’が中央脚部３００と同様の構成の一対の脚を有した構成とすることも可能である。この場合、外側天板２００ａ、２００ｂの第２、第３の収容部２１０ａ、２１０ｂの外側脚部４００ａ’、４００ｂ’収容スペースが低減するので、当該第２、第３の収容部２１０ａ、２１０ｂの他の物を収容するためのスペースが増大する。よって、前記スペースに長椅子６００等を収容することが可能になる。また、前記スペースを中央天板１００の第１の収容部１１０と共に用いれば、様々な物を収容することが可能になるため、当該テーブルの収容力が増す。
【００６４】
中央天板１００の第１の収容部１１０には、椅子５００と下側パイプ３２０とが収容されるとしたが、その収容物については任意に選択することが可能である。
【００６５】
なお、上記テーブルの各構成部材の形状及び材質等については、同様の機能を実現し得る限り任意に設計変更することが可能である。
【図面の簡単な説明】
【００６６】
【図１】本発明の実施の形態に係る折り畳みテーブルに収容される折り畳み椅子を示す図であって、（ａ）が正面図、（ｂ）が側面図である。
【図２】同テーブルを示す図であって、（ａ）が平面図、（ｂ）が底面図である。
【図３】同テーブルの使用状態を示す図であって、（ａ）が椅子を収容した状態を示す底面図、（ｂ）が折り畳み状態を示す斜視図である。
【図４】同テーブルに収容される椅子を示す図であって、（ａ）が正面図、（ｂ）が背面図、（ｃ）が側面図、（ｄ）が平面図、（ｅ）が底面図、（ｆ）が折り畳んだ状態を示す正面図である。
【図５】設計変更例のテーブルを椅子と共に配置した状態を示す図であって、（ａ)が正面図、（ｂ）が側面図である。
【図６】同設計変更例のテーブルを椅子と共に配置した状態を示す平面図である。
【図７】同設計変更例のテーブルを椅子と共に配置した状態を示す底面図である。
【図８】設計変更例のテーブルの椅子収容状態を示す底面図である。
【図９】別の設計変更例のテーブルを椅子と共に配置した状態を示す正面図である。
【図１０】前記設計変更例のテーブルを椅子と共に配置した状態を示す底面図である。
【図１１】前記設計変更例のテーブルの椅子を収納した状態を示す底面図である。
【符号の説明】
【００６７】
１００    中央天板
１１０    第１の収容部
２００ａ  外側天板
２００ｂ  外側天板
２１０ａ  第２の収容部
２１０ｂ  第３の収容部
３００    中央脚部
４００ａ、４００ｂ  外側脚部
４２０ａ、４００ｂ  座面部
４３０ａ、４３０ｂ  脚部
【図１】
0005384841.tif 000002
【図２】
0005384841.tif 000003
【図３】
0005384841.tif 000004
【図４】
0005384841.tif 000005
【図５】
0005384841.tif 000006
【図６】
0005384841.tif 000007
【図７】
0005384841.tif 000008
【図８】
0005384841.tif 000009
【図９】
0005384841.tif 000010
【図１０】
0005384841.tif 000011
【図１１】
0005384841.tif 000012